(57)【要約】【課題】可動接片の、接片支持部材の係合凹部に係合した係合部が削られることがなく、摩耗粉の発生を防止して電気的且つ熱的に安定して使用し得るようにする。【解決手段】スイッチボディに設けられた、係合凹部１０を有する接片支持部材８と、この接片支持部材８の係合凹部１０に一端部の係合部１０１が係合されて支持され、他端部に可動接点を有する板ばねから成る可動接片１１とを具備するスイッチ装置において、可動接片１１の係合部１０１を、該可動接片１１の一端部を曲面状に折曲することにより形成し、この係合部１０１の曲面部分１０１ａを接片支持部材８の係合凹部１０に係合させて支持するようにした。【選択図】図１
2014002896.tif 000002
【特許請求の範囲】
【請求項１】
スイッチボディと、
このスイッチボディに設けられた、係合凹部を有する接片支持部材と、
この接片支持部材の前記係合凹部に一端部の係合部が係合されて支持され、他端部に可動接点を有する板ばねから成る可動接片とを具備するスイッチ装置において、
前記可動接片の係合部を、該可動接片の一端部を曲面状に折曲することにより形成し、この係合部の前記曲面部分を前記接片支持部材の係合凹部に係合させて支持するようにしたことを特徴とするスイッチ装置。
【請求項２】
可動接片が、一端部に接片支持部材より反可動接点側に位置する延長部を有し、この延長部の先端部に曲面部を形成して、この曲面部を接片支持部材の反可動接点側の面に当接させることより、可動接片の補助支持をするようにしたことを特徴とする請求項１記載のスイッチ装置。
【発明の詳細な説明】
【技術分野】
【０００１】
本発明は、可動接片の一端部の係合構造を改良したスイッチ装置に関する。
【背景技術】
【０００２】
従来より、例えば車両のウインドレギュレータ用等のスイッチ装置として、図５に示すものが供されている（例えば特許文献１、２参照）。
このものは、インシュレータ１を基体として、このインシュレータ１上に台座２を敷設している。台座２には、あらかじめ、導電金属製の第１の端子３と第２の端子４を図で左右に離間させて挿着している。この場合、第１の端子３は、上部が、固定接点支持部材５となっており、第１の固定接点６を固着して台座２の上面に露出している。第２の端子４は、上部が、図で左右の二股状にて、台座２上に突出する第１の可動接片支持部材７と第２の可動接片支持部材８となっている。
【０００３】
そして、第１の可動接片支持部材７には、上部の外面（図で左側の面）に係合凹部９を形成しており、第２の可動接片支持部材８には、上部の外面（図で右側の面）に係合凹部１０を形成している。
【０００４】
これらに対して、１１は可動接片を示しており、この可動接片１１は、図６に示す矩形枠状の薄い導電金属製の板ばねから成るもので、図で右側の一端部を上記第２の可動接片支持部材８の係合凹部１０に係合させている。従って、可動接片１１の上記一端部は、第２の可動接片支持部材８の係合凹部１０に係合する係合部１２として機能するものである。図７は、その係合部分を拡大して示しており、係合部１２は、その上下両側の尖角部（エッジ）１２ａ，１２ｂをＶ字形の係合凹部１０に係合させている。
【０００５】
又、可動接片１１には、左側の他端部から一端部方向に延びるばね部１３を、下方への切り起こしと、ほゞＵ字状の湾曲成形により形成しており、このばね部１３の先端部１３ａを上記第１の可動接片支持部材７の係合凹部９に係合させ、この第１の可動接片支持部材７の係合凹部９に対するばね部１３の先端部１３ａの係合と、上述の第２の可動接片支持部材８の係合凹部１０に対する係合部１２の係合とで、可動接片１１を図５に示すほゞ水平状態に支持し、それと同時に、可動接片１１を第１の端子３と第２の端子４とに導電接続している。
【０００６】
更に、可動接片１１の他端部には可動接点１４を固着しており、この可動接点１４から可動接片１１の全体、第１の可動接片支持部材７、第２の可動接片支持部材８、第１の固定接点６、固定接点支持部材５、及び台座２を、下面が開放したボックス状のスイッチボディ１５で覆っている。従って、スイッチボディ１５は内部に上記各部品を有している。又、スイッチボディ１５には、可動接片１１の可動接点１４側に、第２の固定接点１６を下方に露出させて埋設しており、この第２の固定接点１６を一体に有した導電金属製の第３の端子１７を、スイッチボディ１５に埋設して、更に前記インシュレータ１を貫通させ、下方に突出させている。なお、前記第１の端子３と第２の端子４も、インシュレータ１を貫通して、下方に突出している。又、前記可動接点１４は、常時は第２の固定接点１６に接触している。
【０００７】
加えて、スイッチボディ１５の上部には、前記可動接片１１の係合部１２とばね部１３の先端部１３ａとの間に対応する部分に、上下に開通する孔１８を形成していて、この孔１８にプッシャ１９を挿通し、このプッシャ１９のほゞ球面状を成す下端部を前記可動接片１１の係合部１２とばね部１３の先端部１３ａとの間の部分１１ａに当接させている。
【０００８】
スイッチボディ１５には又、上面に操作子２０を配置しており、この操作子２０は図で左右にスライド操作されるもので、図で左側部に指懸け部２０ａを有し、ほゞ中央部の下面に右上がりの斜面２０ｂを有していて、この斜面２０ｂをプッシャ１９のほゞ球面状を成す上端部に当接させている。
【０００９】
以上の構成で、使用者が操作子２０の指懸け部２０ａに指を懸けて該操作子２０を図で右側にスライド操作すると、斜面２０ｂがプッシャ１９の上端部に接しつつ同方向に移動することにより、プッシャ１９が下方に押し込まれ、可動接片１１の係合部１２とばね部１３の先端部１３ａとの間の部分１１ａを下方へ押し込む。これにより、可動接片１１全体としても下方へ押し込まれ、ばね部１３の、第１の可動接片支持部材７の係合凹部９に係合した先端部１３ａを支点とした湾曲度合を深める。
【００１０】
そして、可動接片１１が、ばね部１３の死点である、第１の可動接片支持部材７の係合凹部９を下方に越えると、ばね部１３が深めた湾曲度合を元に戻すようになり、その復元の弾発力によって可動接片１１が即座に下方へ変位され、可動接点１４を第２の固定接点１６から離間させて第１の固定接点６に接触させ、スイッチの切換えがなされる。
【００１１】
なお、この状態から、操作子２０を図で左側に戻し操作すると、斜面２０ｂが同方向に移動することにより、プッシャ１９が斜面２０ｂによる下方への押し込みから解除され、可動接片１１の係合部１２とばね部１３の先端部１３ａとの間の部分１１ａの下方への押し込みを解除する。これにより、可動接片１１全体としても上方へ戻される。そして、可動接片１１が、上記第１の可動接片支持部材７の係合凹部９を上方に越えると、ばね部１３のばね力によって可動接片１１が即座に上方へ戻され、可動接点１４を第１の固定接点６から離間させて第２の固定接点１６に接触させ、スイッチの戻し切換えがなされる。
【先行技術文献】
【特許文献】
【００１２】
【特許文献１】実開平３−  ２２３２６号公報
【特許文献２】実開平３−１１０７２８号公報
【発明の概要】
【発明が解決しようとする課題】
【００１３】
上記構成のものにおいては、可動接片１１が操作子２０のスライド操作により上下に変位されるとき、第２の可動接片支持部材８の係合凹部１０に係合した係合部１２の上下両側の尖角部１２ａ，１２ｂが、その係合凹部１０に擦られて削られ、摩耗粉を生じる。そして、その摩耗粉がいずれ酸化して電気抵抗となるために、通電されると発熱するという問題点を有していた。
【００１４】
本発明は上述の事情に鑑みてなされたものであり、従ってその目的は、可動接片の、接点支持部材の係合凹部に係合した係合部が削られることがなく、摩耗粉の発生を防止して電気的且つ熱的に安定して使用し得るスイッチ装置を提供するにある。
【課題を解決するための手段】
【００１５】
上記目的を達成するために、本発明のスイッチ装置は、スイッチボディと、このスイッチボディに設けられた、係合凹部を有する接片支持部材と、この接片支持部材の前記係合凹部に一端部の係合部が係合されて支持され、他端部に可動接点を有する板ばねから成る可動接片とを具備するものにおいて、前記可動接片の係合部を、該可動接片の一端部を曲面状に折曲することにより形成し、この係合部の前記曲面部分を前記接片支持部材の係合凹部に係合させて支持するようにしたことを特徴とする（請求項１の発明）。
【発明の効果】
【００１６】
上記手段によれば、接点支持部材の係合凹部には、可動接片の一端部を曲面状に折曲することにより形成した係合部のその曲面部分が係合するので、可動接片の係合部が接点支持部材の係合凹部で削られることがなく、摩耗粉の発生を防止し得て、摩耗粉の酸化による電気抵抗の発生、発熱の問題をなくすことができる。
【図面の簡単な説明】
【００１７】
【図１】本発明の第１実施例を示す主要部分の縦断面図
【図２】全体の縦断面図
【図３】本発明の第２実施例を示す図２相当図
【図４】図１相当図
【図５】従来例を示す図２相当図
【図６】可動接片単体の平面図
【図７】図１相当図
【発明を実施するための形態】
【００１８】
以下、本発明の第１実施例（第１の実施形態）につき、先の図５ないし図７と同一の部分には同一の符号を付して説明を割愛し、異なる部分のみ、図１及び図２を参照して説明する。
すなわち、本実施例においては、可動接片１１の一端部に、先の尖角部１２ａ，１２ｂを有する係合部１２に代えて、係合部１０１を形成している。この係合部１０１は、可動接片１１の一端部を曲面状に折曲（曲面状に折り返し屈曲）することにより形成したもので、この係合部１０１の曲面部分１０１ａを接片支持部材である第２の可動接片支持部材８の係合凹部１０に係合させて、可動接片１１をほゞ水平状態に支持し、それと同時に、可動接片１１を第２の端子４に導電接続している。
【００１９】
このように構成した本実施例においては、第２の可動接片支持部材８の係合凹部１０には、可動接片１１の一端部を曲面状に折曲することにより形成した係合部１０１のその曲面部分１０１ａが係合するので、可動接片１１の係合部１０１が第２の可動接片支持部材８の係合凹部１０で削られることがなく、摩耗粉の発生を防止し得る。よって、摩耗粉の酸化による電気抵抗の発生、発熱の問題をなくすことができて、電気的且つ熱的に安定して使用し得るようにできる。
【００２０】
以上に対して、図３及び図４は本発明の第２実施例（第２の実施形態）を示すもので、上記第１実施例と同一の部分には同一の符号を付して説明を省略し、異なる部分についてのみ述べる。
このものの場合、可動接片１１の一端部に第２の可動接片支持部材８より更に反可動接点１４側にほゞ矩形の折り返し状にて位置する延長部２０１を一体に設け、この延長部２０１の先端部に曲面部２０１ａを折曲により形成して、この曲面部２０１ａを第２の可動接片支持部材８の反可動接点１４側の面８ａに当接させることより、可動接片１１の補助支持をするようにしている。
【００２１】
このようにすることで、可動接片１１の支持と、可動接片１１の第２の端子４に対する導電接続がより確実にできる。又、延長部２０１の、第２の可動接片支持部材８に当接した部分においても、摩耗粉の発生を防止できて、電気的且つ熱的に安定して使用し得るようにできる。
【００２２】
このほか、本発明は上記し且つ図面に示した実施例にのみ限定されるものではなく、要旨を逸脱しない範囲内で適宜変更して実施し得る。
【符号の説明】
【００２３】
図面中、８は第２の可動接片支持部材（接点支持部材）、１０は係合凹部、１１は可動接片、１４は可動接点、１５はスイッチボディ、１０１は係合部、１０１ａは曲面部分、２０１は延長部、２０１ａは曲面部を示す。
【図１】
2014002896.tif 000003
【図２】
2014002896.tif 000004
【図３】
2014002896.tif 000005
【図４】
2014002896.tif 000006
【図５】
2014002896.tif 000007
【図６】
2014002896.tif 000008
【図７】
2014002896.tif 000009